(57)【要約】【課題】メールの送信ユーザまたは受信ユーザが意図した送信メールまたは受信メールだけを抽出してフォルダを振り分けて表示することができるようにし、同一テーマのメールについて、ユーザが送受信メールの履歴を容易に確認できるようにした通信端末を提供する。【解決手段】通信端末は、送信メールまたは受信メールから、所定の特殊文字に基づいて特定文字列を検出し、この特定文字列を検出した送信メールまたは受信メールを分類して、特別フォルダ毎に表示するようにした。【選択図】　　　　　図３
2004118528.tif 000002
【特許請求の範囲】
【請求項１】
通信ネットワークを介して、送信メールを送信または受信メールを受信する送受信部、この送受信部から送受信した上記送信メールまたは上記受信メールを記憶するメール記憶部、このメール記憶部に記憶した上記送信メールまたは上記受信メールから、所定の特殊文字に基づいて特定文字列を検出する制御部、この制御部が上記特定文字列を検出した上記送信メールまたは上記受信メールを分類して、特別フォルダ毎に表示する表示部を備えたことを特徴とする通信端末。
【請求項２】
通信ネットワークを介して、送信メールを送信または受信メールを受信する送受信部、この送受信部から送受信した上記送信メールまたは上記受信メールから、所定の特殊文字に基づいて特定文字列を検出する制御部、この制御部が上記特定文字列を検出した上記送信メールまたは上記受信メールを、他の上記送信メールまたは上記受信メールと判別可能に記憶するメール記憶部、このメール記憶部に記憶され、上記制御部が上記特定文字列を検出した上記送信メールまたは上記受信メールを分類して、特別フォルダ毎に表示する表示部を備えたことを特徴とする通信端末。
【請求項３】
メール記憶部は、制御部が特定文字列を検出した送信メールまたは受信メールを、他の上記送信メールまたは上記受信メールのメモリ領域と分けて記憶し、表示部は、上記制御部が上記特定文字列を検出した上記送信メールまたは上記受信メールを上記メール記憶部のメモリ領域毎の特別フォルダに分けて表示することを特徴とする請求項２記載の通信端末。
【請求項４】
メール記憶部は、制御部が特定文字列を検出した送信メールまたは受信メールを、判別データとともに記憶し、表示部は、上記制御部が上記特定文字列を検出した上記送信メールまたは上記受信メールを上記判別データの有無に基づいて表示することを特徴とする請求項２記載の通信端末。
【請求項５】
制御部が送信メール及び受信メールから同一の特定文字列を検出したとき、表示部は、上記送信メール及び上記受信メールを、送受信した順に同一の特別フォルダに表示することを特徴とする請求項１または２のいずれかに記載の通信端末。
【請求項６】
制御部は、２つの所定の特殊文字に挟まれた文字列を特定文字列として検出することを特徴とする請求項１または２のいずれかに記載の通信端末。
【請求項７】
制御部は、所定の特殊文字に対して付随する位置にある所定の文字数の文字列を特定文字列として検出することを特徴とする請求項１または２のいずれかに記載の通信端末。
【請求項８】
指定文字列を入力する操作部、この操作部から入力された上記指定文字列を記憶する記憶部を備え、制御部は、上記記憶部に記憶した上記指定文字列と一致する文字列を特定文字列として検出することを特徴とする請求項１または２のいずれかに記載の通信端末。
【請求項９】
制御部は、送信メールまたは受信メールの件名から特定文字列を検出することを特徴とする請求項１または２のいずれかに記載の通信端末。
【請求項１０】
制御部は、送信メールまたは受信メールの本文から特定文字列を検出することを特徴とする請求項１または２のいずれかに記載の通信端末。
【請求項１１】
指定文字列を入力する操作部、この操作部から入力された上記指定文字列を記憶する記憶部を備え、制御部は、メール記憶部に記憶された送信メールまたは受信メールから、所定の特殊文字に基づいて上記記憶部に記憶した上記指定文字列と一致する文字列を特定文字列として検出し、上記メール記憶部は、上記制御部が上記特定文字列を検出した上記送信メールまたは上記受信メールを、他の上記送信メールまたは上記受信メールと判別可能に再度記憶することを特徴とする請求項２記載の通信端末。
【請求項１２】
指定文字列を入力する第１ステップ、この第１ステップで入力された上記指定文字列を記憶する第２ステップ、通信ネットワークを介して送信メールを送信または受信メールを受信する第３ステップ、この第３ステップで送受信した上記送信メールまたは上記受信メールを記憶する第４ステップ、この第４ステップで記憶した上記送信メールまたは上記受信メールから、所定の特殊文字に基づいて上記第２ステップで記憶した上記指定文字列と一致する文字列を特定文字列として検出する第５ステップ、この第５ステップで上記特定文字列を検出した上記送信メールまたは上記受信メールを分類して、特別フォルダ毎に表示する第６ステップを備えたことを特徴とするメール表示方法。
【請求項１３】
指定文字列を入力する第１ステップ、この第１ステップで入力された上記指定文字列を記憶する第２ステップ、通信ネットワークを介して送信メールを送信または受信メールを受信する第３ステップ、この第３ステップで送受信した上記送信メールまたは上記受信メールから、所定の特殊文字に基づいて上記第２ステップで記憶した上記指定文字列と一致する文字列を特定文字列として検出する第４ステップ、この第４ステップで上記特定文字列を検出した上記送信メールまたは上記受信メールを、他の上記送信メールまたは上記受信メールのメモリ領域と分けて記憶する第５ステップ、この第５ステップで上記特定文字列を検出した上記送信メールまたは上記受信メールを分類して、上記第５ステップで記憶した上記メモリ領域毎の特別フォルダに分けて表示する第６ステップを備えたことを特徴とするメール表示方法。
【請求項１４】
指定文字列を入力する第１ステップ、この第１ステップで入力された上記指定文字列を記憶する第２ステップ、通信ネットワークを介して送信メールを送信または受信メールを受信する第３ステップ、この第３ステップで送受信した上記送信メールまたは上記受信メールから、所定の特殊文字に基づいて上記第２ステップで記憶した上記指定文字列と一致する文字列を特定文字列として検出する第４ステップ、この第４ステップで上記特定文字列を検出した上記送信メールまたは上記受信メールを、判別データとともに記憶する第５ステップ、この第５ステップで上記特定文字列を検出した上記送信メールまたは上記受信メールを分類して、上記第３ステップで記憶した上記判別データの有無に基づいて特別フォルダ毎に表示する第６ステップを備えたことを特徴とするメール表示方法。
【発明の詳細な説明】
【０００１】
【発明の属する技術分野】
この発明は、電子メールを送信または受信する携帯電話機やＰＣ（Ｐｅｒｓｏｎａｌ　Ｃｏｍｐｕｔｅｒ）等の通信端末に関する。
【０００２】
【従来の技術】
近年、メッセージを伝達する手段として、携帯電話機やＰＣを使用して電子メールを送受信することが広く一般に普及している。
【０００３】
従来の通信端末１においては、メールの動作モードを起動してメール一覧を表示させ、メール一覧のうち特定メールの読み取りを指示すると、表示画面にメールの本文を表示するように構成することで、ユーザがメールの内容を素早く確認できるようにしている（例えば、特許文献１参照）。
【０００４】
また、他の従来の通信端末２においては、ユーザがキーワードを設定し、メールの件名にそのキーワードが含まれていれば、他のメールとフォルダを振り分けて表示することで、ユーザが目的のメールを素早く見つけてメールの内容を確認できるようにしている。ここで、フォルダとは、ユーザがメールを表示上、管理するためのものであり、複数のフォルダにメールを振り分けることができる。
【０００５】
次に、この従来の通信端末２の動作について説明する。
図１０は、従来の通信端末を示すブロック図である。図において、１は通信ネットワークを介して信号を送受信するアンテナ、２はアンテナを介して送受信した信号を処理する送受信回路部、３は制御プログラムを実行して通信端末の全体動作を制御するＣＰＵ（Ｃｅｎｔｒａｌ　Ｐｒｏｃｅｓｓｏｒ　Ｕｎｉｔ）、４は各部品に電源を供給する電源ＩＣ（Ｉｎｔｅｇｒａｔｅｄ　Ｃｉｒｃｕｉｔ）、５は種々の情報を記憶するメモリ、６はキーワード等のユーザが入力した情報を記憶するキーワード記憶領域、７は送信メールを記憶する送信メール記憶領域、８は受信メールを記憶する受信メール記憶領域、９はユーザから通信端末への指示を入力するキー入力部、１０は送受信メールを表示するＬＣＤ（Ｌｉｑｕｉｄ　Ｃｒｙｓｔａｌ　Ｄｉｓｐｌａｙ）、１１は後述するマイク１２からの音声を処理してＣＰＵ３に受け渡し、ＣＰＵ３から受信した音声データを処理して後述するスピーカ１３に受け渡す音声処理部、１２は音声を入力するマイク、１３は音声を出力するスピーカである。
【０００６】
図１０、１１、１２、１３、及び１４に基づいて、従来の通信端末で、特別な送信メールを通常送信フォルダとは異なるフォルダ「Ａ」に振り分けて表示する動作を説明する。
【０００７】
図１１は、通信端末のメール送信動作を示したフローチャートであり、図１２は、送信メール記憶領域７に送信メールが格納される様子を示した概念図である。
【０００８】
通信端末のユーザがキー入力部９を操作して、送信メールを表示するフォルダを振り分けるためのキーワード「Ａ」、送信メールからキーワードを検索する項目である件名、及びキーワード「Ａ」を含む送信メールを表示させる振り分けフォルダ「Ａ」等を入力、指定すると、ＣＰＵ３にキーワード、件名、及び振り分けフォルダ等のデータが受け渡される。ＣＰＵ３は、受け渡されたデータをキーワード記憶領域６に格納する。
【０００９】
通信端末のユーザが、メールを送信するときに、相手通信端末のメールアドレス、件名、本文等、メール送信に必要な情報及びメール送信を開始する指示を、キー入力部９を操作して入力するＳＴ１１−１。このとき、送信するメールを振り分けフォルダ「Ａ」に分類したい場合は、件名に「テーマＡ」というように、キーワード「Ａ」を含むようにする。
【００１０】
キー入力部９から入力された情報はＣＰＵ３に受け渡される。
ＣＰＵ３は、受け渡された情報を送信メール記憶領域７に格納するとともにＳＴ１１−２、送受信回路部２に受け渡す。
送受信回路部２は、通信ネットワークを介して他の通信端末へメールを送信しＳＴ１１−３、処理を終了する。
【００１１】
この送信処理を繰り返すと、送信メール記憶領域７には図１２のようにキーワードの有無にかかわらず、順次送信メールが蓄積される。
【００１２】
次に、図１３は、通信端末の送信メールを表示するときのフォルダ振り分け動作を示したフローチャートであり、図１４は、送信メール記憶領域７に格納された送信メールをＬＣＤ１０に表示する様子を示した概念図である。
【００１３】
通信端末のユーザが、送信メールを確認したいときに、送信メールを表示する指示を、キー入力部９を操作して入力すると、ＣＰＵ３に送信メールを表示する指示が受け渡される。
【００１４】
ＣＰＵ３は、予め通信端末ユーザがキーワード記憶領域６に格納しているキーワードを読み出し、次いで、送信メールを送信メール記憶領域７から順次読み出す。
ＣＰＵ３は、読み出した送信メールの件名中の文字列を検索しＳＴ１３−１、キーワード「Ａ」が含まれているか否かを判断するＳＴ１３−２。
この判断で、ＣＰＵ３は、送信メールの件名中にキーワード「Ａ」が含まれていないと判断すれば、当該送信メールを通常送信フォルダに振り分けてＳＴ１３−３、処理を終了する。
【００１５】
ＳＴ１３−２の判断で、ＣＰＵ３は、送信メールの件名中にキーワード「Ａ」が含まれていると判断すれば、図１４のように、当該送信メールをフォルダ「Ａ」に振り分けてＳＴ１３−４、処理を終了する。
【００１６】
送信メール記憶領域７に記憶されている全ての送信メールについて同様に振り分け処理を繰り返すことにより、全ての送信メールがフォルダ毎に振り分けられる。
【００１７】
一方、ＣＰＵ３はキーワード記憶領域６を参照することにより、ＬＣＤ１０に通常送信フォルダとともに、キーワード「Ａ」に対応付けたフォルダ「Ａ」を表示する。
通信端末のユーザが、図１４のように、ＬＣＤ１０に表示されたフォルダを見ながらキー入力部９を操作して、通常送信フォルダまたはフォルダ「Ａ」を選択すると、ＣＰＵ３に通常送信メールまたはキーワード付き送信メールの表示指示が受け渡される。例えば、フォルダ「Ａ」を選択したとすると、ＣＰＵ３は、選択されたフォルダ「Ａ」に振り分けられた送信メールの一覧を、図１４に示すようにＬＣＤ１０に表示させる。
そして、通信端末のユーザが、一覧表示された送信メールの中から確認したい送信メールを、キー入力部９を操作することにより選択すると、該当するメール本文がＬＣＤ１０上に表示される。
【００１８】
次に、図１０、１５、１６、１７、及び１８に基づいて、特別な受信メールを通常受信フォルダとは異なるフォルダ「Ａ」に振り分けて表示する動作を説明する。
【００１９】
図１５は、通信端末のメール受信動作を示したフローチャートであり、図１６は、受信メール記憶領域８に受信メールが格納される様子を示した概念図である。
【００２０】
まず、通信端末のユーザが受信メールを表示するフォルダを振り分けるためのキーワード「Ａ」、受信メールからキーワードを検索する項目である件名、及びキーワード「Ａ」を含む受信メールを表示させる振り分けフォルダ「Ａ」等をキーワード記憶領域６に格納する処理は、送信メールと同様である。
【００２１】
通信端末は、送受信回路部２でメールデータを受信するとＳＴ１５−１、受信したメールデータがＣＰＵ３に受け渡される。
ＣＰＵ３は、受け渡されたメールデータを受信メール記憶領域８に格納しＳＴ１５−２、処理を終了する。
【００２２】
通信端末がメールを受信する毎に、この受信処理を繰り返すことにより、受信メール記憶領域８には図１６のように順次受信メールが蓄積される。
【００２３】
次に、図１７は、通信端末の受信メールを表示するときのフォルダ振り分け動作を示したフローチャートであり、図１８は、受信メール記憶領域８に格納された受信メールをＬＣＤ１０に表示する様子を示した概念図である。
【００２４】
通信端末のユーザが、受信メールを表示する処理は、送信メールの表示と同様であり、ＳＴ１７−１、ＳＴ１７−２、ＳＴ１７−３、及びＳＴ１７−４の処理フローにより、受信メール記憶領域８から順次読み出した受信メールを受信メール用のキーワードを使用して通常受信フォルダ及び振り分けフォルダ「Ａ」に振り分ける。
【００２５】
受信メール記憶領域８に記憶されている全ての受信メールについて同様に振り分け処理を繰り返すことにより、全ての受信メールがフォルダ毎に振り分けられる。
【００２６】
一方、ＣＰＵ３はキーワード記憶領域６を参照することにより、ＬＣＤ１０に通常受信フォルダとともに、キーワード「Ａ」に対応付けたフォルダ「Ａ」を表示する。
通信端末のユーザが、図１８のように、ＬＣＤ１０に表示されたフォルダを見ながらキー入力部９を操作して、通常受信フォルダまたはフォルダ「Ａ」を選択すると、ＣＰＵ３に通常受信メールまたはキーワード付き受信メールの表示指示が受け渡される。例えば、フォルダ「Ａ」を選択したとすると、ＣＰＵ３は、選択されたフォルダ「Ａ」に振り分けられた受信メールの一覧を、図１８に示すようにＬＣＤ１０に表示させる。
そして、通信端末のユーザが、一覧表示された受信メールの中から確認したい受信メールを、キー入力部９を操作することにより選択すると、該当するメール本文がＬＣＤ１０上に表示される。
【００２７】
【特許文献１】
特開２００１−２４５０２５号公報（第３−４頁、第５図）
【００２８】
【発明が解決しようとする課題】
従来の通信端末１での送信メール及び受信メールの表示は、送信メール及び受信メールに分類されているだけなので、所望のメールを探すのに時間がかかるという問題点があった。
【００２９】
従来の通信端末では、メールを複数のフォルダに分類することで、通信端末１での上記問題点を解決しようとしているがまだ充分ではない。
つまり、従来の通信端末での送信メール及び受信メールのフォルダ毎の表示は、例えば「Ａ」をキーワードとしたフォルダ「Ａ」には、件名中に「Ａ」という文字列があれば全てそのフォルダに振り分けられるため、フォルダに振り分けられることを意図しない件名、例えば、「テーマＡＢ」という件名のメールも文字列「Ａ」を含むためフォルダ「Ａ」に分類されてしまう。すなわち、送信ユーザまたは受信ユーザが意図していないメールまで、通常送信フォルダまたは通常受信フォルダとは異なる特定のフォルダに分類して表示されてしまうという問題点があった。
さらに、送信メールと受信メールが別々にフォルダ分けされるので、ユーザが送受信メール間での履歴を確認し難いという問題点があった。
【００３０】
この発明は、上記のような課題を解決するためになされたもので、メールの送信ユーザまたは受信ユーザが意図した送信メールまたは受信メールだけを抽出してフォルダを振り分けて表示することができるようにすることを目的とするものである。また、これに加えて、同一テーマのメールについて、ユーザが送受信メールの履歴を容易に確認できるようにした通信端末を提供することを目的とするものである。
【００３１】
【課題を解決するための手段】
この発明の請求項１に係る通信端末は、通信ネットワークを介して、送信メールを送信または受信メールを受信する送受信部、この送受信部から送受信した上記送信メールまたは上記受信メールを記憶するメール記憶部、このメール記憶部に記憶した上記送信メールまたは上記受信メールから、所定の特殊文字に基づいて特定文字列を検出する制御部、この制御部が上記特定文字列を検出した上記送信メールまたは上記受信メールを分類して、特別フォルダ毎に表示する表示部を備えたものである。
【００３２】
この発明の請求項１に係る通信端末は、通信ネットワークを介して、送信メールを送信または受信メールを受信する送受信部、この送受信部から送受信した上記送信メールまたは上記受信メールから、所定の特殊文字に基づいて特定文字列を検出する制御部、この制御部が上記特定文字列を検出した上記送信メールまたは上記受信メールを、他の上記送信メールまたは上記受信メールと判別可能に記憶するメール記憶部、このメール記憶部に記憶され、上記制御部が上記特定文字列を検出した上記送信メールまたは上記受信メールを分類して、特別フォルダ毎に表示する表示部を備えたものである。
【００３３】
また、この発明の請求項３に係る通信端末は、請求項２における通信端末であって、メール記憶部は、制御部が特定文字列を検出した送信メールまたは受信メールを、他の上記送信メールまたは上記受信メールのメモリ領域と分けて記憶し、表示部は、上記制御部が上記特定文字列を検出した上記送信メールまたは上記受信メールを上記メール記憶部のメモリ領域毎の特別フォルダに分けて表示するようにしたものである。
【００３４】
この発明の請求項４に係る通信端末は、請求項２における通信端末であって、メール記憶部は、制御部が特定文字列を検出した送信メールまたは受信メールを、判別データとともに記憶し、表示部は、上記制御部が上記特定文字列を検出した上記送信メールまたは上記受信メールを上記判別データの有無に基づいて表示するようにしたものである。
【００３５】
また、この発明の請求項５に係る通信端末は、請求項１または２のいずれかにおける通信端末であって、制御部が送信メール及び受信メールから同一の特定文字列を検出したとき、表示部は、上記送信メール及び上記受信メールを、送受信した順に同一の特別フォルダに表示するようにしたものである。
【００３６】
この発明の請求項６に係る通信端末は、請求項１または２のいずれかにおける通信端末であって、制御部は、２つの所定の特殊文字に挟まれた文字列を特定文字列として検出するようにしたものである。
【００３７】
また、この発明の請求項７に係る通信端末は、請求項１または２のいずれかにおける通信端末であって、制御部は、所定の特殊文字に対して付随する位置にある所定の文字数の文字列を特定文字列として検出するようにしたものである。
【００３８】
また、この発明の請求項８に係る通信端末は、請求項１または２のいずれかにおける通信端末であって、指定文字列を入力する操作部、この操作部から入力された上記指定文字列を記憶する記憶部を備え、制御部は、上記記憶部に記憶した上記指定文字列と一致する文字列を特定文字列として検出するようにしたものである。
【００３９】
この発明の請求項９に係る通信端末は、請求項１または２のいずれかにおける通信端末であって、制御部は、送信メールまたは受信メールの件名から特定文字列を検出するようにしたものである。
【００４０】
また、この発明の請求項１０に係る通信端末は、請求項１または２のいずれかにおける通信端末であって、制御部は、送信メールまたは受信メールの本文から特定文字列を検出するようにしたものである。
【００４１】
また、この発明の請求項１１に係る通信端末は、請求項２における通信端末であって、指定文字列を入力する操作部、この操作部から入力された上記指定文字列を記憶する記憶部を備え、制御部は、メール記憶部に記憶された送信メールまたは受信メールから、所定の特殊文字に基づいて上記記憶部に記憶した上記指定文字列と一致する文字列を特定文字列として検出し、上記メール記憶部は、上記制御部が上記特定文字列を検出した上記送信メールまたは上記受信メールを、他の上記送信メールまたは上記受信メールと判別可能に再度記憶するようにしたものである。
【００４２】
また、この発明の請求項１２に係るメール表示方法は、指定文字列を入力する第１ステップ、この第１ステップで入力された上記指定文字列を記憶する第２ステップ、通信ネットワークを介して送信メールを送信または受信メールを受信する第３ステップ、この第３ステップで送受信した上記送信メールまたは上記受信メールを記憶する第４ステップ、この第４ステップで記憶した上記送信メールまたは上記受信メールから、所定の特殊文字に基づいて上記第２ステップで記憶した上記指定文字列と一致する文字列を特定文字列として検出する第５ステップ、この第５ステップで上記特定文字列を検出した上記送信メールまたは上記受信メールを分類して、特別フォルダ毎に表示する第６ステップを備えたものである。
【００４３】
また、この発明の請求項１３に係るメール表示方法は、指定文字列を入力する第１ステップ、この第１ステップで入力された上記指定文字列を記憶する第２ステップ、通信ネットワークを介して送信メールを送信または受信メールを受信する第３ステップ、この第３ステップで送受信した上記送信メールまたは上記受信メールから、所定の特殊文字に基づいて上記第２ステップで記憶した上記指定文字列と一致する文字列を特定文字列として検出する第４ステップ、この第４ステップで上記特定文字列を検出した上記送信メールまたは上記受信メールを、他の上記送信メールまたは上記受信メールのメモリ領域と分けて記憶する第５ステップ、この第５ステップで上記特定文字列を検出した上記送信メールまたは上記受信メールを分類して、上記第５ステップで記憶した上記メモリ領域毎の特別フォルダに分けて表示する第６ステップを備えたものである。
【００４４】
この発明の請求項１４に係るメール表示方法は、指定文字列を入力する第１ステップ、この第１ステップで入力された上記指定文字列を記憶する第２ステップ、通信ネットワークを介して送信メールを送信または受信メールを受信する第３ステップ、この第３ステップで送受信した上記送信メールまたは上記受信メールから、所定の特殊文字に基づいて上記第２ステップで記憶した上記指定文字列と一致する文字列を特定文字列として検出する第４ステップ、この第４ステップで上記特定文字列を検出した上記送信メールまたは上記受信メールを、判別データとともに記憶する第５ステップ、この第５ステップで上記特定文字列を検出した上記送信メールまたは上記受信メールを分類して、上記第３ステップで記憶した上記判別データの有無に基づいて特別フォルダ毎に表示する第６ステップを備えたものである。
【００４５】
【発明の実施の形態】
実施の形態１．
図１０、１１、１２、１、及び３に基づいて、通信端末で、特別な送信メールを通常送信フォルダとは異なるフォルダに振り分けて表示する動作を説明する。
【００４６】
通信端末のユーザがキー入力部９を操作して、送信メールまたは受信メールからキーワードを検索する項目である件名等を入力、指定すると、ＣＰＵ３に件名等のデータが受け渡される。ＣＰＵ３は、受け渡された件名等をキーワード記憶領域６に格納する。実施の形態１では、キーワード及び振り分けフォルダの指定は行なわない。
【００４７】
まず、通信端末のユーザがメールを送信するときの処理は、従来と同様であり、ＳＴ１１−１、ＳＴ１１−２、及びＳＴ１１−３の処理フローで行なわれる。ただし、送信するメールを振り分けフォルダに分類したい場合は、件名に「テーマ『Ａ』」というように、フォルダを振り分けるためのキーワードとする文字列「Ａ」を特殊文字『、』でくくるようにする。
【００４８】
次に、図１は、通信端末の送信メールを表示するときのフォルダ振り分け動作を示したフローチャートであり、図３は、送信メール記憶領域７及び受信メール記憶領域８に格納された送信メール及び受信メールをＬＣＤ１０に表示する様子を示した概念図である。
【００４９】
通信端末のユーザが、送信メールを確認したいときに、送信メールを表示する指示を、キー入力部９を操作して入力すると、ＣＰＵ３に送信メールを表示する指示が受け渡される。
【００５０】
ＣＰＵ３は、予め通信端末ユーザがキーワード記憶領域６に格納している件名を読み出し、次いで送信メールを送信メール記憶領域７から順次読み出す。
ＣＰＵ３は、読み出した送信メールの件名中の文字列を検索しＳＴ１−１、特殊文字『、』が存在するか否かを判断するＳＴ１−２。
この判断で、ＣＰＵ３は、送信メールの件名中に『、』が存在しないと判断すれば、当該送信メールを通常送信フォルダに振り分けてＳＴ１−３、処理を終了する。
【００５１】
ＳＴ１−２の判断で、ＣＰＵ３は、送信メールの件名中に『、』が存在すると判断すれば、図３のように、当該送信メールを『、』でくくられた文字列に対応したフォルダに振り分けてＳＴ１−４、処理を終了する。つまり、件名中に含まれる文字列が『Ａ』であればフォルダ「Ａ」、『Ｂ』であればフォルダ「Ｂ」に振り分けられる。
【００５２】
送信メール記憶領域７に記憶されている全ての送信メールについて同様に振り分け処理を繰り返すことにより、全ての送信メールがフォルダ毎に振り分けられる。
【００５３】
一方、ＣＰＵ３はＬＣＤ１０に通常送信フォルダとともに、通常受信フォルダ、振り分けフォルダ「Ａ」、及び振り分けフォルダ「Ｂ」を表示する。通信端末のユーザが、図３のように、ＬＣＤ１０に表示されたフォルダを見ながらキー入力部９を操作して、通常送信フォルダまたは振り分けフォルダを選択すると、ＣＰＵ３に通常送信メールまたは『』付きメールの表示指示が受け渡される。例えば、フォルダ「Ｂ」を選択したとすると、ＣＰＵ３は、選択されたフォルダ「Ｂ」に振り分けられた送信メールの一覧を、図３に示すようにＬＣＤ１０に表示させる。そして、通信端末のユーザが、一覧表示された送信メールの中から確認したい送信メールを、キー入力部９を操作することにより選択すると、該当するメール本文がＬＣＤ１０上に表示される。
【００５４】
次に、図１０、１５、１６、２、及び３に基づいて、特別な受信メールを通常受信フォルダとは異なるフォルダに振り分けて表示する動作を説明する。
【００５５】
通信端末がメールを受信したときのメール受信処理は、従来と同様であり、ＳＴ１５−１及びＳＴ１５−２の処理フローで行なわれる。
【００５６】
次に、図２は、通信端末の受信メールを表示するときのフォルダ振り分け動作を示したフローチャートである。
【００５７】
通信端末のユーザが、受信メールを表示する処理は、送信メールの表示と同様であり、ＳＴ２−１、ＳＴ２−２、ＳＴ２−３、及びＳＴ２−４の処理フローにより、受信メール記憶領域８から読み出した受信メールを、受信フォルダ及び振り分けフォルダに振り分ける。
【００５８】
受信メール記憶領域８に記憶されている全ての受信メールについて同様に振り分け処理を繰り返すことにより、全ての受信メールがフォルダ毎に振り分けられる。
【００５９】
一方、ＣＰＵ３はＬＣＤ１０に通常受信フォルダとともに、通常送信フォルダ、振り分けフォルダ「Ａ」、及び振り分けフォルダ「Ｂ」を表示する。
通信端末のユーザが、図３のように、ＬＣＤ１０に表示されたフォルダを見ながらキー入力部９を操作して、通常受信フォルダまたは振り分けフォルダを選択すると、ＣＰＵ３に通常受信メールまたは『』付きメールの表示指示が受け渡される。ＣＰＵ３は、選択されたフォルダに振り分けられた受信メールをＬＣＤ１０に表示させる。例えば、フォルダ「Ｂ」を選択したとすると、ＣＰＵ３は、選択されたフォルダ「Ｂ」に振り分けられた受信メールの一覧を、図３に示すようにＬＣＤ１０に表示させる。
そして、通信端末のユーザが、一覧表示された受信メールの中から確認したい受信メールを、キー入力部９を操作することにより選択すると、該当するメール本文がＬＣＤ１０上に表示される。
【００６０】
このように、送信ユーザは、事前にキーワードを設定しなくても、メールを送信したときに、確実にフォルダを分けることができる。また、受信ユーザは、事前にキーワードを設定しなくても、メールを受信したときに、送信ユーザが『、』でくくることで、指定したキーワードによって確実にフォルダを分けることができる。
【００６１】
また、２台の通信端末間で『』付きメールを送受信すると、同一キーワードを含むメールの履歴について、フォルダの内容を同一にすることができるので、２台の通信端末間でメール情報を共有することができる。
【００６２】
さらに、同一キーワードを含む送信メール及び受信メールを同一フォルダに表示するようにしたので、ユーザは、同一キーワードを含むメールに対して、送信フォルダ及び受信フォルダをそれぞれ別々に確認する必要がなく、同一キーワードを含むメールの履歴について、容易に内容を確認することができる。
【００６３】
実施の形態２．
図４は、実施の形態２に係る通信端末を示すブロック図である。図において、１４は「Ａ」をキーワードとするメールを記憶するメールＡ記憶領域、１５は「Ｂ」をキーワードとするメールを記憶するメールＢ記憶領域である。
【００６４】
図４、５、７、及び８に基づいて、送信ユーザの通信端末で、特別な送信メールを通常送信フォルダとは異なるフォルダ「Ａ」に振り分けて表示する動作を説明する。
【００６５】
図５は、通信端末のメール送信動作を示したフローチャートであり、図７は、送信メールまたは受信メールを送信メール記憶領域７、受信メール記憶領域８、メールＡ記憶領域１４、及びメールＢ記憶領域１５に格納する様子を示した概念図である。
【００６６】
まず、通信端末の送信ユーザが、送信メールまたは受信メールを表示するフォルダを振り分けるためのキーワード「Ａ」、送信メールまたは受信メールからキーワードを検索する項目である件名、及びキーワード「Ａ」を含む送信メールまたは受信メールを表示させる振り分けフォルダ「Ａ」等を指定し、キーワード記憶領域６に格納させる処理は、従来と同様である。
【００６７】
通信端末のユーザが、メールを送信するときに、相手通信端末のメールアドレス、件名、本文等、メール送信に必要な情報及びメール送信を開始する指示を、キー入力部９を操作して入力するＳＴ５−１。このとき、メールを振り分けフォルダ「Ａ」に分類したい場合は、件名に「テーマ『Ａ』」というように、キーワード「Ａ」を特殊文字『、』でくくるようにし、受信ユーザが、メールを振り分けフォルダ「Ｂ」に分類したい場合は、「テーマ『Ｂ』」というように、キーワード「Ｂ」を『、』でくくるようにする。
【００６８】
キー入力部９から入力された送信メールはＣＰＵ３に受け渡される。
【００６９】
ＣＰＵ３は、受け渡された送信メールを送受信回路部２に受け渡す。
送受信回路部２は、通信ネットワークを介して他の通信端末へメールを送信するＳＴ５−２。
【００７０】
ＣＰＵ３は、送信メールの件名中の文字列を検索しＳＴ５−３、特殊文字『、』が存在するか否かを判断するＳＴ５−４。
この判断で、ＣＰＵ３は、送信メールの件名中に『、』が存在しないと判断すれば、当該送信メールを送信メモリ記憶領域７に格納しＳＴ５−５、処理を終了する。
【００７１】
ＳＴ５−４の判断で、ＣＰＵ３は、送信メールの件名中に『、』が存在すると判断すれば、予め通信端末ユーザがキーワード記憶領域６に格納しているキーワードを読み出し、当該送信メールの件名中の文字列を検索し、『、』でキーワード「Ａ」がくくられているか否かを判断するＳＴ５−６。
この判断で、ＣＰＵ３は、送信メールの件名中に『、』でキーワード「Ａ」がくくられていないと判断すれば、ＳＴ５−５に進む。
【００７２】
ＳＴ５−６の判断で、ＣＰＵ３は、送信メールの件名中に『、』でキーワード「Ａ」がくくられていると判断すれば、当該送信メールをメールＡ記憶領域１４に格納しＳＴ５−７、処理を終了する。
【００７３】
この送信処理を繰り返すと、送信メール記憶領域７及びメールＡ記憶領域１４には、図７のように順次送信メールが蓄積される。
【００７４】
次に、図８は、送信メール記憶領域７及びメールＡ記憶領域１４に格納された送信メールをＬＣＤ１０に表示する様子を示した概念図である。
【００７５】
通信端末のユーザが、送信メールを確認したいときに、送信メールを表示する指示を、キー入力部９を操作して入力すると、ＣＰＵ３に送信メールを表示する指示が受け渡される。
ＣＰＵ３は、キーワード記憶領域６を参照することにより、ＬＣＤ１０に通常送信フォルダとともに通常受信フォルダ及びキーワード「Ａ」に対応付けたフォルダ「Ａ」を表示する。
【００７６】
通信端末のユーザが、図８のように、ＬＣＤ１０に表示されたフォルダを見ながらキー入力部９を操作して、通常送信フォルダまたはフォルダ「Ａ」を選択すると、ＣＰＵ３に通常送信メールまたは『Ａ』付き送信メールの表示指示が受け渡される。例えば、通常送信フォルダを選択したとすると、ＣＰＵ３は、送信メールを送信メール記憶領域７から読み出し、この読み出した送信メールの一覧を、図８に示すようにＬＣＤ１０に表示させる。また、フォルダ「Ａ」を選択したとすると、ＣＰＵ３は、送信メールをメールＡ記憶領域１４から読み出し、この読み出した送信メールの一覧を、図８に示すようにＬＣＤ１０に表示させる。
そして、通信端末のユーザが、一覧表示された送信メールの中から確認したい送信メールを、キー入力部９を操作することにより選択すると、該当するメール本文がＬＣＤ１０上に表示される。
【００７７】
次に、図４、６、７、及び９に基づいて、受信ユーザの通信端末で、特別な受信メールを通常送信フォルダとは異なるフォルダ「Ｂ」に振り分けて表示する動作を説明する。
【００７８】
図６は、通信端末のメール受信動作を示したフローチャートである。
【００７９】
まず、通信端末の受信ユーザが、送信メールまたは受信メールを表示するフォルダを振り分けるためのキーワード「Ｂ」、送信メールまたは受信メールからキーワードを検索する項目である件名、及びキーワード「Ｂ」を含む送信メールまたは受信メールを表示させる振り分けフォルダ「Ｂ」等を指定し、キーワード記憶領域６に格納する処理は、送信ユーザと同様である。
【００８０】
通信端末は、送受信回路部２でメールデータを受信するとＳＴ６−１、受信したメールデータがＣＰＵ３に受け渡される。
【００８１】
その後のメールデータ、つまり受信メールを受信メール記憶領域８及びメールＢ記憶領域１５に格納する処理は、送信メールを送信メール記憶領域７及びメールＡ記憶領域１４に格納する処理と同様であり、ＳＴ６−２、ＳＴ６−３、ＳＴ６−４、ＳＴ６−５、及びＳＴ６−６の処理フローにより行なう。
【００８２】
通信端末がメールを受信する毎にこの受信処理を繰り返すことにより、受信メモリ記憶領域８及びメールＢ記憶領域１５には、図７のように順次受信メールが蓄積される。
【００８３】
次に、図９は、受信メール記憶領域８及びメールＢ記憶領域１５に格納された受信メールをＬＣＤ１０に表示する様子を示した概念図である。
【００８４】
通信端末のユーザが、受信メールを確認したいときに、受信メールを表示する指示を、キー入力部９を操作して入力すると、ＣＰＵ３に受信メールを表示する指示が受け渡される。
ＣＰＵ３は、キーワード記憶領域６を参照することにより、ＬＣＤ１０に通常受信フォルダとともに通常送信フォルダ及びキーワード「Ｂ」に対応付けたフォルダ「Ｂ」を表示する。
【００８５】
通信端末のユーザが、図８のように、ＬＣＤ１０に表示されたフォルダを見ながらキー入力部９を操作して、通常受信フォルダまたはフォルダ「Ｂ」を選択すると、ＣＰＵ３に通常受信メールまたは『Ｂ』付き受信メールの表示指示が受け渡される。例えば、通常受信フォルダを選択したとすると、ＣＰＵ３は、受信メールを受信メール記憶領域８から読み出し、この読み出した受信メールの一覧を、図９に示すようにＬＣＤ１０に表示させる。また、フォルダ「Ａ」を選択したとすると、ＣＰＵ３は、受信メールをメールＢ記憶領域１５から読み出し、この読み出した受信メールの一覧を、図９に示すようにＬＣＤ１０に表示させる。
そして、通信端末のユーザが、一覧表示された受信メールの中から確認したい受信メールを、キー入力部９を操作することにより選択すると、該当するメール本文がＬＣＤ１０上に表示される。
【００８６】
このように、キーワードを『、』内に限定したので、送信ユーザが「テーマ『Ａ』」「テーマ『Ｂ』」という件名のメールを送信した場合、送信ユーザの通信端末にはフォルダ「Ａ」のみ、受信ユーザの通信端末にはフォルダ「Ｂ」のみを作成し、送信ユーザ及び受信ユーザそれぞれの希望を満たし、さらに、必要なメールのみをフォルダを振り分けて表示することができる。
【００８７】
実施の形態２では、キーワード指定後の送信メール及び受信メールのみを振り分けているが、キーワード指定時またはその後のキー操作等で、すでに送信または受信済みのメールについてメモリ領域を振り分けるようにすると、過去のメールについても同様にフォルダを振り分けて表示することができる。
【００８８】
また、実施の形態２では、メールの送受信時にキーワードを検索して、送信メール記憶領域７、受信メール記憶領域８、メールＡ記憶領域１４、及びメールＢ記憶領域１５に記憶するようにしたが、検索結果を付加したデータを送信メール記憶領域７及び受信メール記憶領域８に記憶するようにしてもよい。この場合のメールの表示は、送信メール記憶領域７及び受信メール記憶領域８の検索結果を付加したデータに基づいて各メールをフォルダに分類するようにすればよい。
【００８９】
実施の形態１及び２では、キーワードを認識するための特殊文字として『、』を使用したが、予め定められていればどのような特殊文字を使用してもよい。
【００９０】
実施の形態１及び２では、『、』でくくられたキーワードを、送信時には送信メールの件名に入力し、送信メールまたは受信メール表示時には各々の件名から検索するようにしたが、『、』及びキーワードを入力できる項目であれば、いずれも件名の代わりに本文等その他の項目を使用してもよい。
【００９１】
実施の形態１及び２では、キーワードを『、』でくくられた文字列で認識するようにしたが、「テーマ♪Ａ」のように、♪等特殊文字の直後に位置する予め決められた文字数の文字列で認識するようにしてもよい。また、キーワードは、特殊文字の直後ではなく、直前等、予め規則を決めておけば、どのような配置にしてもよい。　また、この場合の特殊文字も、予め定められていればどのような特殊文字を使用してもよい。
【００９２】
【発明の効果】
この発明の請求項１、２、６、７、９、及び１０に係る通信端末は、特定文字列を検出した送信メールまたは受信メールを分類して、特別フォルダ毎に表示するようにしたので、送信メールまたは受信メールのうち、メールの送信ユーザまたは受信ユーザが希望する文字列が付加されているメールについて、事前に文字列を指定することなく通常送信メールまたは通常受信メールと、フォルダを分類して表示することができる。また、ユーザの意図に反してフォルダ分けされることを防ぐことができる効果がある。
【００９３】
この発明の請求項３に係る通信端末は、特定文字列を検出した送信メールまたは受信メールを、他の送信メールまたは受信メールのメモリ領域と分けて記憶し、特定文字列を検出した送信メールまたは受信メールをメモリ領域毎の特別フォルダに分けて表示するようにしたので、送信メールまたは受信メールを表示するときの検索時間を短縮することができる効果がある。
【００９４】
この発明の請求項４に係る通信端末は、特定文字列を検出した送信メールまたは受信メールを、判別データとともに記憶し、特定文字列を検出した送信メールまたは受信メールを判別データの有無に基づいて表示するようにしたので、送信メールまたは受信メールを表示するときの検索時間を短縮することができる効果がある。
【００９５】
この発明の請求項５に係る通信端末は、送信メール及び受信メールから同一の特定文字列を検出したとき、送信メール及び受信メールを、送受信した順に同一の特別フォルダに表示するようにしたので、特定内容の送信メールと受信メールについての履歴を容易に確認できるという効果がある。
【００９６】
この発明の請求項８に係る通信端末は、指定文字列と一致する文字列を特定文字列として検出するようにしたので、送信メールまたは受信メールのうち、メールの通信相手が希望する文字列が含まれているメールについて、特に、通信端末のユーザが通常送信メールまたは通常受信メールと、フォルダを分類したいものを厳選して表示することができる効果がある。
【００９７】
この発明の請求項１１に係る通信端末は、メール記憶部に記憶された送信メールまたは受信メールから、所定の特殊文字に基づいて指定文字列と一致する文字列を特定文字列として検出し、特定文字列を検出した送信メールまたは受信メールを、他の送信メールまたは受信メールと判別可能に再度記憶するようにしたので、指定文字列の設定時点より過去のメールについても、フォルダを分類して表示することができる効果がある。
【００９８】
この発明の請求項１２に係る通信端末は、指定文字列を入力する第１ステップ、この第１ステップで入力された上記指定文字列を記憶する第２ステップ、通信ネットワークを介して送信メールを送信または受信メールを受信する第３ステップ、この第３ステップで送受信した上記送信メールまたは上記受信メールを記憶する第４ステップ、この第４ステップで記憶した上記送信メールまたは上記受信メールから、所定の特殊文字に基づいて上記第２ステップで記憶した上記指定文字列と一致する文字列を特定文字列として検出する第５ステップ、この第５ステップで上記特定文字列を検出した上記送信メールまたは上記受信メールを分類して、特別フォルダ毎に表示する第６ステップを備えたので、送信メールまたは受信メールのうち、メールの送信ユーザまたは受信ユーザが希望する文字列が含まれているメールについて、事前に文字列を指定することなく通常送信メールまたは通常受信メールと、フォルダを分類して表示することができる。また、ユーザの意図に反してフォルダ分けされることを防ぐことができる。さらに、送信メールまたは受信メールのうち、メールの通信相手が希望する文字列が含まれているメールについて、特に、通信端末のユーザが通常送信メールまたは通常受信メールと、フォルダを分類したいものを厳選して表示することができる効果がある。
【００９９】
この発明の請求項１３に係る通信端末は、指定文字列を入力する第１ステップ、この第１ステップで入力された上記指定文字列を記憶する第２ステップ、通信ネットワークを介して送信メールを送信または受信メールを受信する第３ステップ、この第３ステップで送受信した上記送信メールまたは上記受信メールから、所定の特殊文字に基づいて上記第２ステップで記憶した上記指定文字列と一致する文字列を特定文字列として検出する第４ステップ、この第４ステップで上記特定文字列を検出した上記送信メールまたは上記受信メールを、他の上記送信メールまたは上記受信メールのメモリ領域と分けて記憶する第５ステップ、この第５ステップで上記特定文字列を検出した上記送信メールまたは上記受信メールを分類して、上記第５ステップで記憶した上記メモリ領域毎の特別フォルダに分けて表示する第６ステップを備えたので、送信メールまたは受信メールのうち、メールの送信ユーザまたは受信ユーザが希望する文字列が含まれているメールについて、事前に文字列を指定することなく通常送信メールまたは通常受信メールと、フォルダを分類して表示することができる。また、ユーザの意図に反してフォルダ分けされることを防ぐことができる。さらに、送信メールまたは受信メールのうち、メールの通信相手が希望する文字列が含まれているメールについて、特に、通信端末のユーザが通常送信メールまたは通常受信メールと、フォルダを分類したいものを厳選して表示することができる効果がある。
【０１００】
この発明の請求項１４に係る通信端末は、指定文字列を入力する第１ステップ、この第１ステップで入力された上記指定文字列を記憶する第２ステップ、通信ネットワークを介して送信メールを送信または受信メールを受信する第３ステップ、この第３ステップで送受信した上記送信メールまたは上記受信メールから、所定の特殊文字に基づいて上記第２ステップで記憶した上記指定文字列と一致する文字列を特定文字列として検出する第４ステップ、この第４ステップで上記特定文字列を検出した上記送信メールまたは上記受信メールを、判別データとともに記憶する第５ステップ、この第５ステップで上記特定文字列を検出した上記送信メールまたは上記受信メールを分類して、上記第３ステップで記憶した上記判別データの有無に基づいて特別フォルダ毎に表示する第６ステップを備えたので、送信メールまたは受信メールのうち、メールの送信ユーザまたは受信ユーザが希望する文字列が含まれているメールについて、事前に文字列を指定することなく通常送信メールまたは通常受信メールと、フォルダを分類して表示することができる。また、ユーザの意図に反してフォルダ分けされることを防ぐことができる。さらに、送信メールまたは受信メールのうち、メールの通信相手が希望する文字列が含まれているメールについて、特に、通信端末のユーザが通常送信メールまたは通常受信メールと、フォルダを分類したいものを厳選して表示することができる効果がある。
【図面の簡単な説明】
【図１】実施の形態１に係る通信端末の送信メールを表示するときのフォルダ振り分け動作を示したフローチャートである。
【図２】実施の形態１に係る通信端末の受信メールを表示するときのフォルダ振り分け動作を示したフローチャートである。
【図３】実施の形態１に係る通信端末の送信メール記憶領域７及び受信メール記憶領域８に格納された送信メール及び受信メールを表示する様子を示した概念図である。
【図４】実施の形態２に係る通信端末を示すブロック図である。
【図５】実施の形態２に係る通信端末のメール送信動作を示したフローチャートである。
【図６】実施の形態２に係る通信端末のメール受信動作を示したフローチャートである。
【図７】実施の形態２に係る通信端末の送信メールまたは受信メールを送信メール記憶領域７、受信メール記憶領域８、メールＡ記憶領域１４、及びメールＢ記憶領域１５に格納する様子を示した概念図である。
【図８】実施の形態２に係る通信端末の送信メール記憶領域７及びメールＡ記憶領域１４に格納された送信メールを表示する様子を示した概念図である。
【図９】実施の形態２に係る通信端末の受信メール記憶領域８及びメールＢ記憶領域１５に格納された受信メールを表示する様子を示した概念図である。
【図１０】従来の通信端末を示すブロック図である。
【図１１】従来の通信端末のメール送信動作を示したフローチャートである。
【図１２】従来の通信端末の送信メール記憶領域７に送信メールが格納される様子を示した概念図である。
【図１３】従来の通信端末の送信メールを表示するときのフォルダ振り分け動作を示したフローチャートである。
【図１４】従来の通信端末の送信メール記憶領域７に格納された送信メールを表示する様子を示した概念図である。
【図１５】従来の通信端末のメール受信動作を示したフローチャートである。
【図１６】従来の通信端末の受信メール記憶領域８に受信メールが格納される様子を示した概念図である。
【図１７】従来の通信端末の受信メールを表示するときのフォルダ振り分け動作を示したフローチャートである。
【図１８】従来の通信端末の受信メール記憶領域８に格納された受信メールを表示する様子を示した概念図である。
【符号の説明】
２　送受信回路部
３　ＣＰＵ
５　メモリ
６　キーワード記憶領域
７　送信メール記憶領域
８　受信メール記憶領域
９　キー入力部
１０　ＬＣＤ
１４　メールＡ記憶領域
１５　メールＢ記憶領域
【図１】
2004118528.tif 000003
【図２】
2004118528.tif 000004
【図３】
2004118528.tif 000005
【図４】
2004118528.tif 000006
【図５】
2004118528.tif 000007
【図６】
2004118528.tif 000008
【図７】
2004118528.tif 000009
【図８】
2004118528.tif 000010
【図９】
2004118528.tif 000011
【図１０】
2004118528.tif 000012
【図１１】
2004118528.tif 000013
【図１２】
2004118528.tif 000014
【図１３】
2004118528.tif 000015
【図１４】
2004118528.tif 000016
【図１５】
2004118528.tif 000017
【図１６】
2004118528.tif 000018
【図１７】
2004118528.tif 000019
【図１８】
2004118528.tif 000020